(57)【要約】 【課題】   通気性の良い着生植物に好適な着生状態を簡便で人工的に作出することができる着生植物用の植え込み材を提供する。【解決手段】  段ボールの段が高さ方向になるように積層して柱状に成形し、その底面に空洞を設けた植え込み材に着生植物を被装し、その根の外側に積層段ボールの積層断面に対して平行に切断した帯を巻くことで通気性の良い着生植物に好適な着生状態を実現する。【選択図】  図１
0003156014.tif 000002
【実用新案登録請求の範囲】
【請求項１】
段ボールの段が高さ方向になるように積層して柱状に成形し、その底面に空洞を設けたことを特徴とする積層段ボール製着生植物用植え込み材。
【請求項２】
請求項１において段ボールは、複数枚としたことを特徴とする請求項１記載の積層段ボール製着生植物用植え込み材。
【考案の詳細な説明】
【技術分野】
【０００１】
本考案は、積層段ボールを用いる着生植物用植え込み材に関する。
【背景技術】
【０００２】
着生植物は、その根が常に新鮮な空気に触れている必要があり、これを地生植物のように砂や土に植えてしまうと風通しが悪くなり、充分に生育する事ができない。このため、着生植物を栽培、育成している者は、自然の中で着生植物が着生している状態を再現すべく樹木や水苔等に付着させている。このような方法は、煩雑で時間と労力を要するが、これ以外に方法が見つからないというのが現状である。
【考案の概要】
【考案が解決しようとする課題】
【０００３】
そこで、本考案は、外側に根があり内側に空洞があるような通気性の良い着生植物に好適な着生状態を簡便で人工的に作出できる着生植物用の植え込み材を提供することをその課題とする。
【課題を解決するための手段】
【０００４】
本考案は、段ボールの段が高さ方向になるように積層して柱状に成形し、その底面に空洞を設けたことを特徴とする積層段ボール製着生植物用植え込み材である。本考案の積層段ボール製着生植物用植え込み材に着生植物を被装し、その根の外側に積層段ボールの積層断面に対して平行に切断した帯を巻くことで、通気性の良い着生植物に好適な着生状態を簡便で人工的に作出することができ上記課題を解決している。
【考案の効果】
【０００５】
本考案の積層段ボール製着生植物用植え込み材は、外側に根があり内側に空洞があるような通気性の良い着生植物に好適な着生状態を簡便で人工的に作出することができる。
【図面の簡単な説明】
【０００６】
【図１】本考案請求項１記載の上部を半球形にした積層段ボール製着生植物用植え込み材の外観図である。
【図２】本考案で用いる素材としての抜き加工した片面段ボールの斜視図である。
【図３】図２を反転した斜視図である。
【図４】本考案請求項１記載の上部を半球形にした積層段ボール製着生植物用植え込み材の縦断面図である。
【図５】本考案請求項１記載の上部を半球形にした積層段ボール製着生植物用植え込み材に風蘭を被装した態様を示す図である。
【図６】本考案で用いる素材としての複数枚の段ボールを積層接着して形成された積層段ボールの斜視図である。
【図７】積層段ボールの積層断面に対して平行に切断した帯の外観図である。
【図８】図５の根全体に図７の帯を巻いた態様を示す図である。
【図９】図８を風蘭用の鉢に入れた態様を示す図である。
【図１０】本考案請求項１記載の上部を平面にした積層段ボール製着生植物用植え込み材にカトレアを被装した態様を示す図である。
【図１１】本考案請求項２記載の上部を半球形にした積層段ボール製着生植物用植え込み材の外観図である。
【図１２】本考案請求項２記載の上部を半球形にした積層段ボール製着生植物用植え込み材の縦断面図である。
【考案を実施するための形態】
【０００７】
次に、本考案の実施例を図面を参照して説明することにより、考案の実施の形態を具体的に説明する。
【実施例１】
【０００８】
本考案の積層段ボール製着生植物用植え込み材（以下、植え込み材という）は、図２、図３のような抜き加工した片面段ボール４を植え込み材の素材として用いる。図３で示す板紙５全体に接着剤を塗り、抜き加工した片面段ボールの段２が外向きになるように、内側になる端４ａから外側になる端４ｂへ巻く。抜き加工した片面段ボール４の長さは約１２０ｃｍであり、内側になる端４ａから外側になる端４ｂ方向へ長さ約４０ｃｍまでの高さは、約４ｃｍである。他の部分の高さより低いため、下部には空洞が作られる。この空洞の大きさは、高さ約４ｃｍ、直径約３ｃｍである。外側の端４ｂの高さは約５ｃｍである。前述の大きさは、殆どの風蘭に適するものである。また、抜き加工した片面段ボール４の上部は緩やかな曲線であり、この部分が植え込み材上部の半球形を形成する。
【０００９】
図１に示す上部を半球形にした植え込み材３は、半球形部分の周りに着生植物の根が付着して外側に伸び易くなる形状なので、葉や花だけでなく根も鑑賞対象となる風蘭７に適したものである。また、植え込み材３の上部の段の穴１は底面へ通じているため通気し、図４に示す底面に設けた空洞６が通気性を増し着生植物にとって好適な着生状態を保つことができる。このように、通気性の良い構造であるため植え込み材３の形状は、水に濡れても乾燥し易く崩れにくい。
【００１０】
次に、図５に示すように植え込み材３の上部へ風蘭の根８を跨がせるように風蘭７を被装する。図７は、図６の積層段ボールの積層断面１１に対して平行に切断した帯１２（以下、帯という）である。この帯１２で図８に示すように風蘭の根８を覆うように巻く。これにより、風蘭７が植え込み材３に固定され風蘭の根８も保護される。ここで使用する帯の大きさは、厚さ約３ｍｍ、幅約６ｃｍ、長さ約２５ｃｍである。帯の幅は、着生植物の大きさに合わせ変更する。風蘭の根８は、帯の積層断面１１から常に新鮮な空気に触れるため充分成長し得る。この後、図８を図９に示すように風蘭用の鉢１３に収める。
【００１１】
また、着生植物の中でもカトレア１４、コチョウラン等の洋蘭は、上記風蘭７と違い花を鑑賞するものであり、その根は鑑賞対象とはならない。そのため、植え込み材の上部を平面にした植え込み材を使用する。この場合、図２、図３で示す抜き加工した片面段ボール４を内側になる端４ａから外側になる端４ｂの植え込み材３の上部になる部分は、直線にする。これにより、植え込み材の上部が平面になる。図１０に示すように上部が平面の植え込み材３にカトレア１４を被装する。この後は、上記風蘭７と同様にカトレアの根１５の周囲を図７の帯で巻き、これを植木鉢に入れる。前記洋蘭に使用する植え込み材の大きさは、洋蘭の株の大きさに合わせて図２、図３で示す抜き加工した片面段ボール４の高さと長さを変更する。空洞の大きさは、上記風蘭に用いる植え込み材と同様である。
【実施例２】
【００１２】
本考案の植え込み材は、複数枚の段ボールを積層接着して形成された積層段ボールを素材として用いて作ることもできる。図１１に示すように図６の積層段ボールを積層断面１１に対して垂直に切断し柱状に成形する。上部は風蘭７に適した半球形に整え底面には、図１２に示すように空洞６を設ける。植え込み材３の上部は、着生植物の種類により台形や平面に整えると良い。着生植物の被装方法は、上記実施例１と同様である。
【符号の説明】
【００１３】
１  段の穴
２  段
３  植え込み材
４  抜き加工した片面段ボール
４ａ内側になる端
４ｂ外側になる端
５  板紙
６  空洞
７  風蘭
８  風蘭の根
９  積層段ボール
１０積層側面
１１積層断面
１２帯
１３風蘭用の鉢
１４カトレア
１５カトレアの根
【図１】
0003156014.tif 000003
【図２】
0003156014.tif 000004
【図３】
0003156014.tif 000005
【図４】
0003156014.tif 000006
【図５】
0003156014.tif 000007
【図６】
0003156014.tif 000008
【図７】
0003156014.tif 000009
【図８】
0003156014.tif 000010
【図９】
0003156014.tif 000011
【図１０】
0003156014.tif 000012
【図１１】
0003156014.tif 000013
【図１２】
0003156014.tif 000014